(57)【要約】【課題】近距離無線通信媒体では通信障害のある各機器ネットワーク同士を当初設置でも、後付けでも通信自在につなげる電力線利用の通信システム及びこれを利用した環境整備機器の維持管理システムを提供する。【解決手段】一方の機器ネットワーク２と他方の機器ネットワーク３との間に近距離無線通信媒体４では通信障害を生じさせる障害物５が存在し、この障害物５に電力線６が通じている場合に、一方の機器ネットワーク２内の少なくとも一つの機器７及び一方の側にある電力線６に近距離無線通信媒体４をそれぞれ取り付け、且つ他方の機器ネットワーク３内の少なくとも一つの機器８及び他方の側にある電力線６に近距離無線通信媒体４をそれぞれ取り付けることで、一方の機器ネットワーク２と他方の機器ネットワーク３とを電力線６を媒介としてつなぎ、一つの機器ネットワーク９として扱えることができ、上記課題を達成できる。【選択図】    図１
2004320696.tif 000002
【特許請求の範囲】
【請求項１】
一方の機器ネットワークと他方の機器ネットワークとの間に近距離無線通信媒体では通信障害を生じさせる障害物が存在し、該障害物に電力線が通じている場合に、前記一方の機器ネットワーク内の少なくとも一つの機器及び一方の機器ネットワーク側にある前記電力線に前記近距離無線通信媒体をそれぞれ取り付け、且つ前記他方の機器ネットワーク内の少なくとも一つの機器及び他方の機器ネットワーク側にある前記電力線に前記近距離無線通信媒体をそれぞれ取り付けることで、前記一方の機器ネットワークと前記他方の機器ネットワークとを前記電力線を媒介としてつなぎ、一つの機器ネットワークとして扱えるようにしたことを特徴とする電力線利用の通信システム。
【請求項２】
前記近距離無線通信媒体はブルートゥースモジュールである請求項１記載の電力線利用の通信システム。
【請求項３】
前記ブルートゥースモジュールは前記電力線に接続するための変換アダプタを有し、該変換アダプタは前記電力線に着脱自在である請求項２記載の電力線利用の通信システム。
【請求項４】
前記ブルートゥースモジュールは前記機器に接続するための変換アダプタを有し、該変換アダプタは前記機器に着脱自在である請求項２記載の電力線利用の通信システム。
【請求項５】
１以上の環境整備機器を結んで機器ネットワークを構成し、該機器ネットワークの少なくとも一つとこれを管理するコンピュータとを、請求項１記載の電力線利用の通信システムを媒介としてつなぎ、前記機器ネットワークと前記コンピュータとの間に介在するブルートゥースモジュールは子通信モジュールと親通信モジュールとがあり、前記子通信モジュールは、前記環境整備機器に接続して双方向のデータの入出力を行う機能を有し、且つ前記環境整備機器からの機器データに認識標を付加すると共に前記コンピュータからの認識標付の指令データから認識標を分離する機能を有し、前記親通信モジュールは、前記コンピュータに接続して双方向のデータの入出力を行う機能を有してなり、前記コンピュータは、前記通信システムを通じて認識標付の機器データを受けこれから認識標を分離すると共に機器データを記憶し、且つこの機器データに基づいて演算し指令データを作成・表示し、この指令データに送信すべき前記環境整備機器の認識票を付加し、その指令データを前記通信システムを通じて前記環境整備機器に送り運転制御を実行させる機能を、有してなることを特徴とする電力線利用の通信システムを利用した環境整備機器の維持管理システム。
【請求項６】
１以上の環境整備機器を結んで機器ネットワークを構成し、該機器ネットワークの少なくとも一つとこれを管理し通信回線に接続したコンピュータとを、請求項１記載の電力線利用の通信システムを媒介としてつなぎ、前記機器ネットワークと前記コンピュータとの間に介在するブルートゥースモジュールは子通信モジュールと親通信モジュールとがあり、前記子通信モジュールは、前記環境整備機器に接続して双方向のデータの入出力を行う機能を有し、且つ前記環境整備機器からの機器データに認識標を付加すると共に前記コンピュータからの認識標付の指令データから認識標を分離する機能を有し、前記親通信モジュールは、前記コンピュータに接続して双方向のデータの入出力を行う機能を有してなり、前記コンピュータは、前記通信システムを通じて認識標付の機器データを受けこれから認識標を分離すると共に機器データを記憶し、且つこの機器データに基づいて演算し指令データを作成・表示し、この指令データに送信すべき前記環境整備機器の認識票を付加し、その指令データを前記通信システムを通じて前記環境整備機器に送り運転制御を実行させ、一方、前記機器データのうち予め定めた維持管理に必要なメンテナンスデータから認識標を分離すると共に、この認識標に対応するアドレスにメンテナンスデータを前記通信回線を通じて遠隔コンピュータに送る機能を、有してなり、前記遠隔コンピュータは、メンテナンスデータに基づいて演算して遠隔管理データを作成・表示する機能を、有してなることを特徴とする電力線利用の通信システムを利用した環境整備機器の維持管理システム。
【請求項７】
前記遠隔コンピュータは、これの遠隔管理データを前記通信回線を通じて前記コンピュータに送り表示する機能を有し、且つ前記コンピュータは、遠隔管理データにより得た送信元のアドレスから認識票を割り出しその遠隔管理データに付加し、前記通信システムを通じて前記環境整備機器に送る機能を、有していることを特徴とする請求項６記載の電力線利用の通信システムを利用した環境整備機器の維持管理システム。
【発明の詳細な説明】
【０００１】
【発明の属する技術分野】
本発明は、コンピュータを含む機器と機器との間、機器と機器ネットワークとの間及び機器ネットワーク同士の間に、近距離無線通信媒体では通信障害を生じさせる障害物が存在する場合における電力線利用の通信システム及びこれを利用した環境整備機器の維持管理システムに関する。
【０００２】
【従来の技術】
機器、コンピュータ及び遠隔コンピュータをつなぐ通信システムは、種々のものがある。例えば、図１１で示すように、一群の機器ａをＬＡＮ（Ｌｏｃａｌ  Ａｒｅａ  Ｎｅｔｗｏｒｋ）でハブ（Ｈｕｂ）ｂに接続し集め、このハブｂをコンピュータｃに接続し、更に専用回線にてサービスセンターに設置してある大型のコンピュータｄに接続し、一群の機器ａを専用にサービスするコントロール機器ｅにＬＡＮにより接続して通信システムを構成し、この通信システム内のコントロール機器ｅにて一群の機器ａに対して様々なサービスを行っている。また、図１２で示すように、一群の機器ａに携帯電話やＰＨＳ（Ｐｅｒｓｏｎａｌ  Ｈａｎｄｙｐｈｏｎｅ  Ｓｙｓｔｅｍ）などのモバイル端末（Ｍｏｂｉｌｅ）ｆを取り付け、モバイル端末ｆで受信局ｇと通信し、受信局ｇから電話回線やインターネットでサービスセンターに設置してあるサーバー（Ｓｅｒｖｅｒ）ｈに接続し、一群の機器ａを専用にサービスするコントロール機器ｅにＬＡＮにより接続して通信システムを構成し、この通信システム内のコントロール機器ｅにて一群の機器ａに対して様々なサービスを行っている。
【０００３】
また、図１３で示すように、各種の家電製品ｉに無線機能ｊを組み込み、この無線機能ｊとモバイル端末ｆ、コンピュータｃ及び専用コントローラーｋなどと無線でつなぐことで通信システムを構成し、これらのモバイル端末ｆ、コンピュータｃ及び専用コントローラーｋなどにより、各種の家電製品ｉに対して様々なサービスを行うようにしている。
【０００４】
また、図１４で示すように、同一室内ｌに設置した一群の機器ａに近距離無線通信媒体、例えば、ブルートゥースモジュールｍを接続し、これらを管理する同一室内ｌのコンピュータｃにもブルートゥースモジュールｍを接続して、その室内ｌにおける機器ネットワークｎを構成し、コンピュータｃにより一群の機器ａを管理運営している。
【０００５】
【発明が解決しようとする課題】
しかしながら、図１１に示す通信システムは、確実性やセキュリティーの面で優れているが、大規模なシステムとなるため、多数のユーザーや自社内で多数の部署を抱えているような企業で採用されている。同じく、図１２に示す通信システムは、確実性やセキュリティーの面で上記のシステムより劣るが、システムを比較的小規模にすることができる。しかしながら、この通信システムであっても構築するにはそれ相応の技術力が必要であり、その開発費用もかなりの額におよび、更にこのシステム管理費用もばかにならず、加えて、携帯電話やＰＨＳの使用料も必要になる。したがって、この通信システムもある程度の規模以上の企業で採用されている。
【０００６】
また、図１３に示す通信システムは、予め無線機能ｊを各種の家電製品ｉに組み込んでいるため、各種の家電製品ｉの開発費用が高くなり、新たに開発されたた家電製品ｉを配設しなければならず、既にある家電製品は利用できないことになり、システムとしてのフレキシビリティーがないことになる。
【０００７】
そして、図１４に示す通信システムは、一群の機器ａやコンピュータｃにブルートゥースモジュールｍを接続するだけで機器ネットワークｎを構成でき、コンピュータｃにより一群の機器ａを管理運営でき都合が良い。しかしながら、このブルートゥースモジュールｍは、その通信範囲が最大でも１００ｍ程度で同一室内ｌでの運用が基本であり、別室や階が異なるような場合には１００ｍ以内であっても安定した通信が不可能であり、機器ネットワークｎ同士をつなげることができない。
【０００８】
そこで、本発明は、上記事情に鑑みてなされたもので、資本も技術もない企業や個人でも機器ネットワークを構築し利用でき、別室や階が異なる場合でも安定して通信ができ各機器ネットワーク同士をつなげることができて、加えて機器やコンピュータに後付けでも、機器ネットワークとして立ち上げることができる電力線利用の通信システム及びこれを利用した環境整備機器の維持管理システムを提供することを課題とする。
【０００９】
【課題を解決するための手段】
上記課題を解決するため、請求項１記載の発明は、一方の機器ネットワークと他方の機器ネットワークとの間に近距離無線通信媒体では通信障害を生じさせる障害物が存在し、該障害物に電力線が通じている場合に、前記一方の機器ネットワーク内の少なくとも一つの機器及び一方の機器ネットワーク側にある前記電力線に前記近距離無線通信媒体をそれぞれ取り付け、且つ前記他方の機器ネットワーク内の少なくとも一つの機器及び他方の機器ネットワーク側にある前記電力線に前記近距離無線通信媒体をそれぞれ取り付けることで、前記一方の機器ネットワークと前記他方の機器ネットワークとを前記電力線を媒介としてつなぎ、一つの機器ネットワークとして扱えるようにしたことを特徴とする。したがって、この特徴によれば、一方の機器ネットワーク中の機器に取り付けた近距離無線通信媒体と、他方の機器ネットワーク中の機器に取り付けた近距離無線通信媒体とが、障害物中を通じている電力線の両側に取り付けた両近距離無線通信媒体によりつながり、一方の機器ネットワークと他方の機器ネットワークとが通信障害を生じさせないで通信でき、一つの機器ネットワークと扱える。
【００１０】
請求項２の発明は、前記近距離無線通信媒体はブルートゥースモジュールであることを特徴とする。したがって、この特徴によれば、一方の機器ネットワークと他方の機器ネットワークとが、ブルートゥースモジュール及び障害物中を通じている電力線を媒介としてつながり、一方の機器ネットワークと他方の機器ネットワークとが通信障害を生じさせないで通信でき、一つの機器ネットワークと扱える。
【００１１】
請求項３の発明は、前記ブルートゥースモジュールは前記電力線に接続するための変換アダプタを有し、該変換アダプタは前記電力線に着脱自在であることを特徴とする。したがって、この特徴によれば、変換アダプタにより電力線につながっているブルートゥースモジュールと、一方の機器ネットワーク及び他方の機器ネットワーク中のブルートゥースモジュールとにより、双方の機器ネットワークが通信障害を生じさせないで通信できるようになり、電力線からブルートゥースモジュール及び変換アダプタを外せば、一方の機器ネットワークと他方の機器ネットワークとが別々の機器ネットワークとなる。
【００１２】
請求項４の発明は、前記ブルートゥースモジュールは前記機器に接続するための変換アダプタを有し、該変換アダプタは前記機器に着脱自在であることを特徴とする。したがって、この特徴によれば、機器にブルートゥースモジュールを変換アダプタにより接続することで、その機器をブルートゥースモジュールによりつなげた機器ネットワークの一員とする一方で、機器からブルートゥースモジュール及び変換アダプタを外せば、機器ネットワークの一員から外れる。また、一の機器ネットワーク中の機器にブルートゥースモジュールを変換アダプタにより接続することで、ブルートゥースモジュールによりつなげた他の機器ネットワークとつながり、通信障害を生じさせないで通信できるようになる一方で、一の機器ネットワーク中の機器からブルートゥースモジュール及び変換アダプタを外せば、一方の機器ネットワークと他方の機器ネットワークとが別々の機器ネットワークとなる。
【００１３】
請求項５の発明は、１以上の環境整備機器を結んで機器ネットワークを構成し、該機器ネットワークの少なくとも一つとこれを管理するコンピュータとを、請求項１記載の電力線利用の通信システムを媒介としてつなぎ、前記機器ネットワークと前記コンピュータとの間に介在するブルートゥースモジュールは子通信モジュールと親通信モジュールとがあり、前記子通信モジュールは、前記環境整備機器に接続して双方向のデータの入出力を行う機能を有し、且つ前記環境整備機器からの機器データに認識標を付加すると共に前記コンピュータからの認識標付の指令データから認識標を分離する機能を有し、前記親通信モジュールは、前記コンピュータに接続して双方向のデータの入出力を行う機能を有してなり、前記コンピュータは、前記通信システムを通じて認識標付の機器データを受けこれから認識標を分離すると共に機器データを記憶し、且つこの機器データに基づいて演算し指令データを作成・表示し、この指令データに送信すべき前記環境整備機器の認識票を付加し、その指令データを前記通信システムを通じて前記環境整備機器に送り運転制御を実行させる機能を、有してなることを特徴とする。したがって、この特徴によれば、機器ネットワーク中の環境整備機器に子通信モジュールを接続し、コンピュータに親通信モジュールを接続して、更にコンピュータに上記した通信システム構築のための機能をインストールすることで、環境整備機器とコンピュータとは電力線利用の通信システムによりつながり、一つの通信システムを構築したことになり、且つコンピュータに通信システム構築機能以外の予め付与された機能により、上記した通信システムを経て有機的なつながりをもって、これら環境整備機器及びコンピュータを運転制御できる。
【００１４】
請求項６の発明は、１以上の環境整備機器を結んで機器ネットワークを構成し、該機器ネットワークの少なくとも一つとこれを管理し通信回線に接続したコンピュータとを、請求項１記載の電力線利用の通信システムを媒介としてつなぎ、前記機器ネットワークと前記コンピュータとの間に介在するブルートゥースモジュールは子通信モジュールと親通信モジュールとがあり、前記子通信モジュールは、前記環境整備機器に接続して双方向のデータの入出力を行う機能を有し、且つ前記環境整備機器からの機器データに認識標を付加すると共に前記コンピュータからの認識標付の指令データから認識標を分離する機能を有し、前記親通信モジュールは、前記コンピュータに接続して双方向のデータの入出力を行う機能を有してなり、前記コンピュータは、前記通信システムを通じて認識標付の機器データを受けこれから認識標を分離すると共に機器データを記憶し、且つこの機器データに基づいて演算し指令データを作成・表示し、この指令データに送信すべき前記環境整備機器の認識票を付加し、その指令データを前記通信システムを通じて前記環境整備機器に送り運転制御を実行させ、一方、前記機器データのうち予め定めた維持管理に必要なメンテナンスデータから認識標を分離すると共に、この認識標に対応するアドレスにメンテナンスデータを前記通信回線を通じて遠隔コンピュータに送る機能を、有してなり、前記遠隔コンピュータは、メンテナンスデータに基づいて演算して遠隔管理データを作成・表示する機能を、有してなることを特徴とする。したがって、この特徴によれば、機器ネットワーク中の環境整備機器に子通信モジュールを接続し、コンピュータに親通信モジュールを接続して、更にコンピュータに上記した通信システム構築のための機能をインストールすることで、環境整備機器とコンピュータとは電力線利用の通信システムによりつながり、更にコンピュータと遠隔コンピュータともつながり一つの通信システムを構築したことになり、且つコンピュータ及び遠隔コンピュータに通信システム構築機能以外の予め付与された機能により、上記した通信システムを経て有機的なつながりをもって、これら環境整備機器、コンピュータ及び遠隔コンピュータを運転制御できる。
【００１５】
請求項７の発明は、前記遠隔コンピュータは、これの遠隔管理データを前記通信回線を通じて前記コンピュータに送り表示する機能を有し、且つ前記コンピュータは、遠隔管理データにより得た送信元のアドレスから認識票を割り出しその遠隔管理データに付加し、前記通信システムを通じて前記環境整備機器に送る機能を、有していることを特徴とする。したがって、この特徴によれば、遠隔管理データをコンピュータに送り表示して内容がわかり、直ぐに環境整備機器のメンテナンスができる。
【００１６】
【発明の実施の形態】
以下、本発明の実施の形態を図１〜１０に基づいて詳述する。
図１は本発明の実施の形態を示す電力線利用の通信システムの概念構成図、図２は本発明の実施の形態を示す電力線利用の通信システムの一部の斜視図、図３、４は本発明の実施の形態を示す電力線利用の通信システムの概念構成図である。図において、１は電力線利用の通信システム（以下、単に通信システム１という）を示し、この通信システム１は、一方の機器ネットワーク２と他方の機器ネットワーク３との間に近距離無線通信媒体４では通信障害を生じさせる障害物５が存在し、この障害物５に電力線６が通じている場合に、一方の機器ネットワーク２内の少なくとも一つの機器７及び一方の機器ネットワーク２側にある電力線６に近距離無線通信媒体４をそれぞれ取り付け、且つ他方の機器ネットワーク３内の少なくとも一つの機器８及び他方の機器ネットワーク３側にある電力線６に近距離無線通信媒体４をそれぞれ取り付けることで、一方の機器ネットワーク２と他方の機器ネットワーク３とを前記電力線６を媒介としてつなぎ、一つの機器ネットワーク９として扱えるようにしたものである。
【００１７】
前記一方の及び他方の機器ネットワーク２及び３は、共に少なくとも一つの機器があれば良く、通常は複数の機器が有線あるいは無線でつながったものであり、それぞれ別の室内１０、１１に設置されている。そして、この機器は家電製品、産業用機器（コンピュータを含む）などであり特に限定はなく、新設でも既設でも良いが、一方の及び他方の機器ネットワーク２及び３中の少なくとも一つの機器は、近距離無線通信媒体４を接続できることが条件となる。すなわち、その機器に近距離無線通信媒体４を直に接続できなくても、変換アダプタなどを介したり、機器外に後付けしたコンピュータを介したりして接続できればよく、その際シリアルでもパラレルでも良い。
【００１８】
前記近距離無線通信媒体４は、ワイヤレスを実現できれば特に限定がないが、ブルートゥース（Ｂｌｕｅｔｏｏｔｈ）、無線ＬＡＮなどがあり、いずれでも良い。なお、この実施の形態では近距離無線通信媒体４として、ブルートゥースモジュール４（以下、必要に応じて近距離無線通信媒体４としたり、ブルートゥースモジュール４とする。）を採用している。
【００１９】
前記障害物５は、壁、床、天井などの近距離無線通信媒体４の通信障害となるものの総称であり、電力線６は、これらの障害物５を通り、一方の機器ネットワーク２と他方の機器ネットワーク３とを設置している空間に、それぞれつながているものを総称するものである。したがって、電力線６は低圧配電線や電灯線などの既存の電力配線すべて（後述のコンセント１２も）を含みを、その上に配管なども対象となる。すなわち、この電力線６は、通常室内１０、１１に取り付けられているコンセント１２、１２も含む概念であるから、これらのコンセント１２、１２にブルートゥースモジュール４を取り付けた変換アダプタ１３をそれぞれ差し込むことで、室内１０、１１が互いに離れていても、電力線６により通信障害を起こさないで通信することができる。
【００２０】
そして、一方の機器ネットワーク２は、室内１０にある複数の機器１４が一つの機器７に有線でつながり、その機器７にブルートゥースモジュール４を変換アダプタ１３により取り付けて、構成している。他方の機器ネットワーク３は、室内１０にある機器８が複数であり、それらの機器８のそれぞれにブルートゥースモジュール４を直接取り付けて、構成している。したがって、室内１０の一方の機器ネットワーク２と室内１１の他方の機器ネットワーク３とは、障害物５が存在するものでありながら、上記した構成の電力線６により、通信障害が生ずることなく通信が可能となり、一つの機器ネットワーク９として扱うことができる。
【００２１】
図２は、室内１５に機器が１台設置され、その機器が分煙機１６である場合を示すもので、この分煙機１６はブルートゥースモジュール４が直付け可能であるから直接取り付けられ、室内１５のコンセント１２にはブルートゥースモジュール４が変換アダプタ１３により取り付けられている。これは最も簡単な１の機器ネットワークを示すが、図３に示すように、１台の分煙機１６が設置された室内１５が多数あり、これらの分煙機１６を別室にある１台のコンピュータ１７により管理する場合を想定している。すなわち、これは別室の１台のコンピュータ１７と各室内１５の分煙機１６とが互いに上記電力線６を媒介としてつながり、一つの機器ネットワークにでき、コンピュータ１７による一元管理ができることを示唆している。
【００２２】
図４は、Ａ室〜Ｆ室の各システムＡ〜Ｆを電力線６によりつなぎ一つの機器ネットワーク９ａとしたものを示す。Ａ室は、コンセント１２にブルートゥースモジュール４が変換アダプタ１３により取り付けられ、システムＡに直接ブルートゥースモジュール４が取り付けられた状態を示す。Ｂ室は、コンセント１２にブルートゥースモジュール４が変換アダプタ１３により取り付けられ、システムＢにブルートゥースモジュール４が変換アダプタ１３により取り付けられた状態を示す。Ｃ室は、Ａ室と同様の状態を示す。Ｄ室は、コンセント１２にブルートゥースモジュール４が変換アダプタ１３により取り付けられ、システムＤにブルートゥースモジュール４が変換アダプタ１３により取り付けられた状態を示し、更に、コンセント１２あるいはシステムＤからブルートゥースモジュール４を外すことで、システムＤは機器ネットワーク９ａから離脱でき、逆にコンセント１２あるいはシステムＤにブルートゥースモジュール４を装着することで、システムＤは機器ネットワーク９ａに復帰できることを示す。Ｅ室は、Ｂ室と同様の状態を示し、Ｆ室は、Ｃ室と同様の状態を示す。このように、Ａ室〜Ｆ室の各システムＡ〜Ｆは電力線６により、容易に一つの機器ネットワーク９ａとすることができ、しかもその参加あるいは離脱もブルートゥースモジュール４を直接あるいは変換アダプタ１３と共に着脱することにより、容易に実行できるものである。
【００２３】
図５、６は上記電力線利用の通信システム１を適用した環境整備機器の維持管理システム２０（以下単に維持管理システム２０という）を示すものである。
この維持管理システム２０は、１以上の環境整備機器２１を結んで機器ネットワーク２ａを構成し、この機器ネットワーク２ａの少なくとも一つとこれを管理するコンピュータ２２との間に、ブルートゥースモジュール４を介在させるが、この間に障害物５があるから前記通信システム１を媒介としてつないでなるものである。そして、機器ネットワーク２ａとコンピュータ２２との間に介在するブルートゥースモジュール４は、子通信モジュール４Ａと親通信モジュール４Ｂとがあり、この子通信モジュール４Ａは、機器ネットワーク２ａの環境整備機器２１に接続して双方向のデータの入出力を行う機能を有し、且つ環境整備機器２１からの機器データに認識標を付加すると共にコンピュータ２２からの認識標付の指令データから認識標を分離する機能を有し、親通信モジュール４Ｂは、コンピュータ２２に接続して双方向のデータの入出力を行う機能を有してなり、コンピュータ２２は、通信システム１を通じて認識標付の機器データを受けこれから認識標を分離すると共に機器データを記憶し、且つこの機器データに基づいて演算し指令データを作成・表示し、この指令データに送信すべき環境整備機器２１の認識票を付加し、その指令データを通信システム１を通じて環境整備機器２１に送り運転制御を実行させる機能を、有してなるものである。
【００２４】
そして、このような維持管理システム２０の前記コンピュータ２２が通信回線（ブロードバンド、ナローバンドを含む）、例えば、ブロードバンド１８に常時接続し、遠隔コンピュータ２３とデータを入出力している場合の維持管理システム２０ａは、機器データのうち予め定めた維持管理に必要なメンテナンスデータから認識標を分離すると共に、この認識標に対応するアドレスにメンテナンスデータをブロードバンド１８を通じて遠隔コンピュータ２３に送る機能を、付与し、更にこの遠隔コンピュータ２３に、このメンテナンスデータに基づいて演算して遠隔管理データを作成・表示する機能を、付与したものである。以後、維持管理システム２０をメインに説明するが、必要に応じて維持管理システム２０ａを含めて説明する。
【００２５】
維持管理システム２０の環境整備機器２１は、リフレッシュ室２４内の機器全てを総称し、リフレッシュ室２４の中央にメイン喫煙ユニット３０があり、このメイン喫煙ユニット３０を中心として、リフレッシュ室２４内における天井設置の喫煙ユニット３１、リフレッシュ室２４の一角に後設置の喫煙ユニット３２、入室感知センサ３３、脱臭機器３４、エアコン３５及び照明機器３６を、ブルートゥースモジュール４使用の無線接続とする。すなわち、このブルートゥースモジュール４は、子通信モジュール４Ａと、親通信モジュール４Ｂと、ソフトウエア（図７、８参照）とからなり、環境整備機器２１とコンピュータ２２との間を通信システム１を通じて無線接続するものである。
【００２６】
また、喫煙ユニット３１は天井設置の喫煙ユニット４０に有線接続し、この喫煙ユニット４０はリフレッシュ室２４の他の一角に後設置の喫煙ユニット４１及び人感知センサ４２にブルートゥースモジュール４使用の無線接続となり、更に喫煙ユニット４１にガスセンサ４３を有線接続としている。後設置の喫煙ユニット３２には人感知センサ４４に及びガスセンサ４５がブルートゥースモジュール４使用の無線接続とされている。すなわち、リフレッシュ室２４の中央のメイン喫煙ユニット３０を中心として、リフレッシュ室２４内の残りの各環境整備機器２１がツリー状に無線及び有線により接続されている。そして、このメイン喫煙ユニット３０は、子通信モジュール４Ａが取り付けられ、コンピュータ２２に親通信モジュール４Ｂが取り付けられて、ブルートゥースモジュール４使用の無線接続となり、メイン喫煙ユニット３０を含めてツリー状に接続した残りの各環境整備機器２１をコンピュータ２２により一括して管理することができるようになっている。このコンピュータ２２は、更に、常時接続のブロードバンド１８を通じて遠隔コンピュータ２３に接続している。
【００２７】
なお、メイン喫煙ユニット３０及び喫煙ユニット３１、３２、４０、４１は、その形式や構造には限定がなく、この実施形態では、比較的大きなごみ等の粒子を除去するプレフィルター、このプレフィルター通過後の微粒子を除去する電気集塵機及び臭気成分を除去する脱臭フィルターを内蔵しているものが、採用されている。
【００２８】
この維持管理システム２０は、例えば、電源をオンしており、リフレッシュ室２４の入口に設置した入室感知センサ３３により人が入室したことを感知すると、図７のフローチャートをスタートさせ、ステップ１にて人数をカウントするなどの機器データを作成しステップ２〜７、すなわち、入室感知センサ３３、子通信モジュール４Ａ、親通信モジュール４Ｂを経てメイン喫煙ユニット３０に入力させ、同様にメイン喫煙ユニット３０から子通信モジュール４Ａ、（通信システム１）、親通信モジュール４Ｂを経て、ステップ８にてコンピュータ２２に入力させる。この際、コンピュータ２２がブロードバンド１８に常時接続し、遠隔コンピュータ２３とデータを入出力している場合の維持管理システム２０ａでは、コンピュータ２２に入力した機器データが不図示のルーチンにて予め定めた維持管理に必要なメンテナンスデータかどうかを判断して、ＹＥＳであればステップ９にて機器データから認識標を分離すると共に、図９のフローチャートのステップ１０以後に示すように、この認識標に対応するアドレスにメンテナンスデータをブロードバンド１８を通じて遠隔コンピュータ２３に送る。
【００２９】
この場合はＮＯであるから、コンピュータ２２にて機器データに基づき別作成のプログラムにより、演算し指令データを作成・表示し、図８のフローチャートをスタートさせ、ステップ１〜１０、すなわち、コンピュータ２２、親通信モジュール４Ｂ、（通信システム１）、子通信モジュール４Ａを経てメイン喫煙ユニット３０に指令データを入力させ、同様にメイン喫煙ユニット３０からブルートゥースモジュール４を経て、ステップ１１にて指令データを照明機器３６に入力させる。ステップ１２、１３にて指令データにより照明機器３６を点灯させる。なお、入室感知センサ３３が人を０カウントの場合に、照明機器３６を消灯させる。
【００３０】
前記入室感知センサ３３により人が入室したことの機器データをコンピュータ２２に入力した後、一定時間、例えば２分経過後コンピュータ２２からエアコン３５の指令データを出力し、照明機器３６の場合と同様にしてメイン喫煙ユニット３０を経てエアコン３５に伝え作動させ、以後エアコン３５は自身で室内の温度及び湿度を感知し作動・停止の自動動作をし続け、あるいはコンピュータ２２からの指令データにより停止する。
【００３１】
また、メイン喫煙ユニット３０に内蔵した人感知センサにて人を感知すると、その機器データを照明機器３６の場合と同様にして、メイン喫煙ユニット３０を経てコンピュータ２２に入力させ、コンピュータ２２にて機器データに基づき、前述の別作成のプログラムにより演算し指令データを作成・表示し、図８のフローチャートをスタートさせメイン喫煙ユニット３０に伝え作動させ、以後内蔵の人感知センサにて人を感知しなくなるまで作動する。
【００３２】
そして、喫煙ユニット３１、４０、４１に人が近づき、人感知センサ４２が感知すると、その機器データを照明機器３６の場合と同様にして、メイン喫煙ユニット３０を経てコンピュータ２２に入力させ、コンピュータ２２にて機器データに基づき、別作成のプログラムにより演算し指令データを作成・表示し、図８のフローチャートをスタートさせメイン喫煙ユニット３１、４０、４１に伝え一定時間、例えば、３分間作動させその間にガスセンサ４３が煙草の煙（以下単に紫煙という）を感知しない場合は、コンピュータ２２からの指令データにより喫煙ユニット３１、４０、４１を停止する。３分間の作動の間にガスセンサ４３が紫煙を感知した場合は、コンピュータ２２からの指令データにより喫煙ユニット３１、４０、４１の運転を継続する。一方、喫煙ユニット３１、４０、４１の運転中はガスセンサ４３にて紫煙を常時見ており、例えば、無感知を３分間継続した場合は、コンピュータ２２からの指令データにより喫煙ユニット３１、４０、４１の運転を停止する。
【００３３】
また、喫煙ユニット３１、４０、４１群から離れて後設置の喫煙ユニット３２も、人感知センサ４４、ガスセンサ４５との関係で、上記と同じように運転制御される。
【００３４】
前記脱臭機器３４は、メイン喫煙ユニット３０、喫煙ユニット３１、４０、４１、後設置の喫煙ユニット３２のうち、例えば、２台以上同時に運転がなされた場合に、コンピュータ２２からの指令データにより脱臭機器３４を作動させる。そして、同時運転が２台に満たない場合には、コンピュータ２２からの指令データにより脱臭機器３４を停止させる。
【００３５】
また、メイン喫煙ユニット３０、喫煙ユニット３１、４０、４１、後設置の喫煙ユニット３２のうち、例えば２台以上同時に運転がなされているのに、ガスセンサ４５の紫煙感知の度合が予め設定した値より高い場合に、エアコン３５からの吹き出しエアーにより紫煙がメイン喫煙ユニット３０、喫煙ユニット３１、４０、４１、３２に取り込まれる効率が低いことが予想されるから、コンピュータ２２からの指令データによりエアコン３５の風向を予め設定した紫煙感知の値より低くなるまで自動調節する。
【００３６】
また、メイン喫煙ユニット３０、喫煙ユニット３１、４０、４１、後設置の喫煙ユニット３２のうち、仮に、喫煙ユニット４０が内蔵する電気集塵機の集塵板が極端に汚れ放電を繰り返すと、その機器データを照明機器３６の場合と同様にしてメイン喫煙ユニット３０を経てコンピュータ２２に入力させ、コンピュータ２２にて機器データに基づき、別作成のプログラムにより演算し指令データを作成・表示し、照明機器３６の場合と同様にして指令データを喫煙ユニット４０に入力させ、喫煙ユニット４０の作動を停止させる。
【００３７】
この際、コンピュータ２２がブロードバンド１８に常時接続し、遠隔コンピュータ２３とデータを入出力している場合の維持管理システム２０ａでは、この機器データが不図示のルーチンにて予め定めた維持管理に必要なメンテデータかどうかを判断することになるが、この場合はＹＥＳであるから、ステップ９にて機器データから認識標を分離すると共に、図９のフローチャートのステップ１０以後に示すように、この認識標に対応するアドレスにメンテナンスデータをブロードバンド１８を通じて遠隔コンピュータ２３に送る。このメンテナンスデータを入力した遠隔コンピュータ２３は、不図示のルーチンにてメンテナンスデータに基づいて演算し遠隔管理データを作成・表示し、喫煙ユニット４０の設置場所に最も近い位置に居るサービスマンなどに伝送するから、例えば、携帯電話やＰＨＳから指令を受けたサービスマンなどにより、喫煙ユニット４０の集塵板を取り替えるなどのメンテナンンスが直ぐにできる。
【００３８】
そして、この遠隔コンピュータ２３は、これの遠隔管理データをブロードバンド１８を通じてコンピュータ２２に送り表示する機能を有し、且つコンピュータ２２は、遠隔管理データにより得た送信元のアドレスから認識票を割り出しその遠隔管理データに付加し、親通信モジュール４Ｂ、（通信システム１）及び子通信モジュール４Ａを通じて環境整備機器２１に送る機能を、有している。すなわち、図１０のフローチャートのステップ１以後に示すように、遠隔コンピュータ２３により環境整備機器２１の遠隔管理データを作成しステップ２に進む。ステップ２にて遠隔コンピュータ２３により遠隔管理データを対象となる環境整備機器２１のアドレスにブロードバンド１８を通じて出力あるいは無線送信してステップ３に進む。ステップ３にて遠隔管理データをコンピュータ２２に入力あるいは無線受信してステップ４に進む。ステップ４にて遠隔管理データの送信元アドレスから認識標を割り出してステップ５に進む。なお、ステップ５以後は、図１０のステップ５から、データを単に遠隔管理データとすること以外全く同様なので、その説明を省略する。したがって、遠隔管理データをコンピュータ２２に送り表示して内容がわかり、直ぐに環境整備機器２１のメンテナンスができる。
【００３９】
なお、維持管理システム２０の全環境整備機器２１、すなわち、メイン喫煙ユニット３０、喫煙ユニット３１、３２、入室感知センサ３３、脱臭機器３４、エアコン３５及び照明機器３６、並びに喫煙ユニット４０、４１、人感知センサ４２、４４、ガスセンサ４３、４５が全て停止状態でない場合にも、コンピュータ２２にて簡易な操作で非常停止することができ、更に、全環境整備機器２１が全て停止状態である場合にもコンピュータ２２にて簡易な操作で強制作動をすることができる。また、エアコン及び照明機器がリフレッシュ室２４内で分割され、その分割ごとに喫煙ユニットが配置されたり、逆に、喫煙ユニットのブロックごとにエアコン及び照明機器が配置されている場合は、分割ごとにあるいはブロックごとに喫煙ユニット、エアコン及び照明機器を人の有無により運転制御でき、より省エネルギーにすることができる。
【００４０】
以上，本発明の実施の形態を説明したが、具体的な構成はこれに限定されず、本発明の要旨を逸脱しない範囲での変更・追加、各請求項における他の組み合わせにかかるものも、本発明の範囲内である。
【００４１】
【発明の効果】
以上詳述したように、本発明によれば、以下のような効果がある。
請求項１記載の発明は、一方の機器ネットワーク中の機器に取り付けた近距離無線通信媒体と、他方の機器ネットワーク中の機器に取り付けた近距離無線通信媒体とが、障害物中を通じている電力線の両側に取り付けた両近距離無線通信媒体によりつながり、一方の機器ネットワークと他方の機器ネットワークとが通信障害を生じさせないで通信でき、一つの機器ネットワークと扱える。したがって、資本も技術もない企業や個人でも機器ネットワークを容易に構築でき、通信障害のある別室や異なる階の場合でも安定した通信が可能となり、そのような各機器ネットワーク同士をつなげることができて、一つの機器ネットワークとして立ち上げることができる効果がある。
【００４２】
請求項２記載の発明は、一方の機器ネットワークと他方の機器ネットワークとが、ブルートゥースモジュール及び障害物中を通じている電力線を媒介としてつながり、一方の機器ネットワークと他方の機器ネットワークとが通信障害を生じさせないで通信でき、一つの機器ネットワークと扱える。したがって、上記の効果をブルートゥースモジュールにて容易に実現できる効果がある。
【００４３】
請求項３記載の発明は、変換アダプタにより電力線につながっているブルートゥースモジュールと、一方の機器ネットワーク及び他方の機器ネットワーク中のブルートゥースモジュールとにより、双方の機器ネットワークが通信障害を生じさせないで通信できるようになり、電力線からブルートゥースモジュール及び変換アダプタを外せば、一方の機器ネットワークと他方の機器ネットワークとが別々の機器ネットワークとなる。したがって、上記の効果に加えて、電力線にブルートゥースモジュール及び変換アダプタを着脱することで、一方の機器ネットワークと他方の機器ネットワークとの離合集散が自在となる効果がある。
【００４４】
請求項４記載の発明は、機器にブルートゥースモジュールを変換アダプタにより接続することで、その機器をブルートゥースモジュールによりつなげた機器ネットワークの一員とする一方で、機器からブルートゥースモジュール及び変換アダプタを外せば、機器ネットワークの一員から外れる。また、一の機器ネットワーク中の機器にブルートゥースモジュールを変換アダプタにより接続することで、ブルートゥースモジュールによりつなげた他の機器ネットワークとつながり、通信障害を生じさせないで通信できるようになる一方で、一の機器ネットワーク中の機器からブルートゥースモジュール及び変換アダプタを外せば、一方の機器ネットワークと他方の機器ネットワークとが別々の機器ネットワークとなる。したがって、上記の効果に加えて、一つの機器あるいは一つの機器ネットワーク中の機器にブルートゥースモジュール及び変換アダプタを着脱することで、一つの機器を一つの機器ネットワークの一員としたり外したり、一方の機器ネットワークと他方の機器ネットワークとの離合集散も自在となる効果がある。
【００４５】
請求項５記載の発明は、機器ネットワーク中の環境整備機器に子通信モジュールを接続し、コンピュータに親通信モジュールを接続して、更にコンピュータに通信システム構築のための機能をインストールすることで、環境整備機器とコンピュータとは通信障害があっても電力線利用の通信システムによりつながり、一つのシステムを構築したことになり、且つコンピュータに通信システム構築機能以外の予め付与された機能により、電力線利用の通信システムを経て有機的なつながりをもって、これら環境整備機器をコンピュータを通じて運転制御できる。したがって、資本も技術もない企業や個人でも環境整備機器の維持管理システムを容易に構築でき、通信障害のある別室や異なる階にコンピュータを設置してあっても安定した通信が可能となり、そのコンピュータを通じてネットワーク化された環境整備機器を運転制御できる効果がある。加えて、環境整備機器やコンピュータに子通信モジュールや親通信モジュールを後付けしても、上記した環境整備機器の維持管理システムを構築できる効果がある。
【００４６】
請求項６記載の発明は、機器ネットワーク中の環境整備機器に子通信モジュールを接続し、コンピュータに親通信モジュールを接続して、更にコンピュータに通信システム構築のための機能をインストールすることで、環境整備機器とコンピュータとは通信障害があっても電力線利用の通信システムによりつながり、更にコンピュータと遠隔コンピュータともつながり一つの通信システムを構築したことになり、且つコンピュータ及び遠隔コンピュータに通信システム構築機能以外の予め付与された機能により、上記した通信システムを経て有機的なつながりをもって、これら環境整備機器、コンピュータ及び遠隔コンピュータを運転制御できる。したがって、資本も技術もない企業や個人でも環境整備機器の維持管理システムを容易に構築でき、通信障害のある別室や異なる階にコンピュータを設置してあっても安定した通信が可能となり、そのコンピュータを通じてネットワーク化された環境整備機器を運転制御でき、更に必要に応じて環境整備機器及びコンピュータを遠隔コンピュータの運転制御下に置くこともできる効果がある。加えて、環境整備機器やコンピュータに子通信モジュールや親通信モジュールを後付けしても、上記した環境整備機器の維持管理システムを構築できる効果がある。
【００４７】
請求項７記載の発明は、遠隔管理データをコンピュータに送り表示して内容がわかり、直ぐに環境整備機器のメンテナンスができる。したがって、上記の効果に加えて、コンピュータにてフォローしていない環境整備機器のメンテナンスであっても、迅速且つ適切にできる効果がある。
【図面の簡単な説明】
【図１】本発明の実施の形態を示す電力線利用の通信システムの概念構成図。
【図２】本発明の実施の形態を示す電力線利用の通信システムの一部の斜視図。
【図３】本発明の他の実施の形態を示す電力線利用の通信システムの概念構成図。
【図４】本発明の他の実施の形態を示す電力線利用の通信システムの概念構成図。
【図５】本発明の実施の形態を示す電力線利用の通信システムを利用した環境整備機器の維持管理システムの概念構成図。
【図６】本発明の実施の形態を示す環境整備機器の配置図。
【図７】本発明の実施の形態を示す環境整備機器の維持管理システムのフローチャート図。
【図８】本発明の実施の形態を示す環境整備機器の維持管理システムのフローチャート図。
【図９】本発明の他の実施の形態を示す環境整備機器の維持管理システムのフローチャート図。
【図１０】本発明の他の実施の形態を示す環境整備機器の維持管理システムのフローチャート図。
【図１１】従来例を示す通信システムの概念構成図。
【図１２】従来例を示す通信システムの概念構成図。
【図１３】従来例を示す通信システムの概念構成図。
【図１４】従来例を示す通信システムの概念構成図。
【符号の説明】
１                      電力線利用の通信システム
２                      一方の機器ネットワーク
２ａ、ｎ                機器ネットワーク
３                      他方の機器ネットワーク
４                      近距離無線通信媒体（ブルートゥースモジュール）
４Ａ                    子通信モジュール
４Ｂ                    親通信モジュール
５                      障害物
６                      電力線
７、８                  一つの機器
９、９ａ                一つの機器ネットワーク
１０、１１、１５        室内
１２                    コンセント
１３                    変換アダプタ
１４                    複数の機器
１６                    分煙機
１７、２２、ｃ、ｄ      コンピュータ
１８                    ブロードバンド
２０、２０ａ            電力線利用の通信システムを利用した環境整備機器の維持管理システム
２１                    環境整備機器
２３                    遠隔コンピュータ
２４                    リフレッシュ室
３０                    メイン喫煙ユニット
３１、３２、４１        喫煙ユニット
３３                    入室感知センサ
３４                    脱臭機器
３５                    エアコン
３６                    照明機器
４０                    天井設置の喫煙ユニット
４２、４４              人感知センサ
４３、４５              ガスセンサ
ａ                      一群の機器
ｂ                      ハブ
ｅ                      コントロール機器
ｆ                      モバイル端末
ｇ                      受信局
ｈ                      サーバー
ｉ                      家電製品
ｊ                      無線機能
ｋ                      専用コントローラー
ｌ                      同一室内
ｍ                      ブルートゥースモジュール
【図１】
2004320696.tif 000003
【図２】
2004320696.tif 000004
【図３】
2004320696.tif 000005
【図４】
2004320696.tif 000006
【図５】
2004320696.tif 000007
【図６】
2004320696.tif 000008
【図７】
2004320696.tif 000009
【図８】
2004320696.tif 000010
【図９】
2004320696.tif 000011
【図１０】
2004320696.tif 000012
【図１１】
2004320696.tif 000013
【図１２】
2004320696.tif 000014
【図１３】
2004320696.tif 000015
【図１４】
2004320696.tif 000016